(57)【要約】【課題】跳上げ椅子の部品の共通化と組み立て作業の効率化を図る。【解決手段】跳上げ椅子１００は、床面上に設けられた支持フレーム１１０と、支持フレーム１１０によって床面よりも高い位置で支持された着座用の座体１２０と、座体１２０の両側面に設けられ、座体１２０を支持フレーム１１０に対して一定の角度範囲で回転可能とする座体支持ユニット１３０とから構成されている。このような構成により、座体支持ユニット１３０は、座体１２０の幅に関係なく共通の構成のものを用いることが可能であるため、跳上げ椅子１００の組み立て作業の効率化を図ることができる。【選択図】図２
2007105295.tif 000002
【特許請求の範囲】
【請求項１】
着座用の座体を支軸に取り付けるための座体支持ユニットであって、
前記座体に対して固定可能に構成された座回転体と、
前記座回転体を回転可能に支持するとともに、前記支軸に対して回転不能な状態で取り付け可能に構成された軸固定体と、
を備え、
前記軸固定体は、前記座回転体が回転することに伴う前記座回転体の有するストッパ部の移動を妨げることにより前記座回転体の回転可能範囲を一定角度に制限するストッパ受け部を有していること
を特徴とする座体支持ユニット。
【請求項２】
前記座回転体は、本座回転体を前記座体に対して固定するための螺合部材を備えており、
前記ストッパ部は、前記螺合部材により構成されていること
を特徴とする請求項１に記載の座体支持ユニット。
【請求項３】
前記座回転体及び前記軸固定体の少なくとも一方には、前記ストッパ受け部が前記ストッパ部の移動を妨げる位置に、弾性材料による緩衝部が形成されていること
を特徴とする請求項１又は請求項２に記載の座体支持ユニット。
【請求項４】
前記軸固定体は、弾性材料製の板が２枚の金属板によりサンドイッチ状に挟まれた構成を有し、前記金属板の端縁により前記ストッパ受け部が形成されているとともに、前記弾性材料製の板における前記端縁からはみ出した部分によって前記緩衝部が形成されていること
を特徴とする請求項３に記載の座体支持ユニット。
【請求項５】
前記弾性材料製の板には、板厚の異なる肉厚部と肉薄部とが形成されており、少なくとも前記弾性材料製の板における前記端縁からはみ出した部分は、前記肉薄部によって形成されていること
を特徴とする請求項４に記載の座体支持ユニット。
【請求項６】
前記軸固定体には、前記支軸を挿入するための軸孔が形成されており、前記軸固定体は、前記軸孔に前記支軸が挿入された状態でその支軸に対して取り付け可能に構成されていること
を特徴とする請求項１から請求項５までのいずれか１項に記載の座体支持ユニット。
【請求項７】
前記軸孔は、断面が多角形状に形成された支軸を挿入するためのものであり、その支軸の断面と同一形状に形成されていること
を特徴とする請求項６に記載の座体支持ユニット。
【請求項８】
前記軸固定体における前記軸孔の内縁には、挿入された支軸と密着する弾性材料による密着部が形成されていること
を特徴とする請求項６又は請求項７に記載の座体支持ユニット。
【請求項９】
前記軸固定体に対する前記座回転体の回転に、摩擦による負荷を与えるための摩擦部材を備えていること
を特徴とする請求項１から請求項８までのいずれか１項に記載の座体支持ユニット。
【請求項１０】
前記座回転体は、前記軸固定体を収容するケース状に形成されていること
を特徴とする請求項１から請求項９までのいずれか１項に記載の座体支持ユニット。
【請求項１１】
請求項１から請求項１０までのいずれか１項に記載の座体支持ユニットにより着座用の座体が支軸に取り付けられた跳上げ椅子であって、
前記座体が、着座用の着座位置と、上方へ起立した収納位置との間で、回転移動可能に構成されていること
を特徴とする跳上げ椅子。
【請求項１２】
前記座体を前記着座位置から前記収納位置へ自動的に回転移動させるための錘が設けられていること
を特徴とする請求項１１に記載の跳上げ椅子。
【請求項１３】
前記座体を前記着座位置から前記収納位置へ自動的に回転移動させるためのバネが設けられていること
を特徴とする請求項１１に記載の跳上げ椅子。
【発明の詳細な説明】
【技術分野】
【０００１】
本発明は、着座用の座体を支軸に取り付けるための座体支持ユニット、及び、このような座体支持ユニットが用いられた跳上げ椅子に関するものである。
【背景技術】
【０００２】
従来、例えば学校等の講義室及び講堂のように椅子が群設されている場所においては、椅子と椅子との間の移動を容易に行うことができるように、着座用の座体が跳上げ可能に構成された跳上げ椅子が用いられている。例えば、特許文献１には、座体が支軸に対して回転可能な状態で取り付けられるとともに、座体における支軸よりも後方の部分に円柱状の錘が横設された構成の跳上げ椅子が開示されている。このような構成の跳上げ椅子では、錘によって座体が常に跳上げ方向へ付勢されており、着席者の脱席とともに座体が自動的に跳上げられる。また、この跳上げ椅子は、錘の両端部を座体の側方に突設させてストッパとするとともに、支軸を軸承する椅子本体にストッパ受けを備えており、座体を前方へ倒して水平にした場合に、ストッパとストッパ受けとが衝合することによって、座体の下方への傾倒が制限されて水平に保持されるように構成されている。
【特許文献１】実公昭５８−４７９０３号公報
【発明の開示】
【発明が解決しようとする課題】
【０００３】
しかしながら、特許文献１に記載の跳上げ椅子は、横設された錘の両端部を座体の側方に突設させることによりストッパを形成しているため、跳上げ椅子の間口寸法（座体の幅）に応じて異なる寸法の錘を用いる必要がある。この結果、座体の幅に応じた複数種類の錘を用意しなければならず、工場等における跳上げ椅子の組み立て作業の効率化が阻害されるという問題があった。
【０００４】
本発明は、こうした問題にかんがみてなされたものであり、跳上げ椅子の組み立て作業の効率化を図ることを目的としている。
【課題を解決するための手段】
【０００５】
上記目的を達成するためになされた本発明の請求項１に記載の座体支持ユニットは、着座用の座体を支軸に取り付けるためのものであって、座体に対して固定可能に構成された座回転体と、座回転体を回転可能に支持するとともに、支軸に対して回転不能な状態で取り付け可能に構成された軸固定体とを備えている。そして、この座体支持ユニットにおいて、軸固定体は、座回転体が回転することに伴う座回転体の有するストッパ部の移動を妨げることにより座回転体の回転可能範囲を一定角度に制限するストッパ受け部を有している。
【０００６】
このような構成の座体支持ユニットは、座回転体を座体に固定し、軸固定体を支軸に取り付けることにより、座体を支軸に対して一定の角度範囲で回転可能に取り付けることができる。そして、本座体支持ユニットは、座体の幅に関係なく共通の構成とすることが可能となる。したがって、跳上げ椅子の組み立て作業の効率化を図ることができる。
【０００７】
ここで、座回転体を座体に対して螺合部材（例えばボルトやビス）によって固定する場合には、請求項２に記載の座体支持ユニットのように、ストッパ部を螺合部材によって構成することで、ストッパ部を構成することによる部品点数の増加を抑えることができる。この結果、本座体支持ユニットの組み立て作業の効率化を図ることができ、ひいては、跳上げ椅子の組み立て作業の一層の効率化を図ることができる。
【０００８】
ところで、ストッパ受け部がストッパ部の移動を妨げる構成としては、例えば、ストッパの移動経路にストッパ受け部を設けた構成が挙げられる。ただし、座回転体を回転させることによりストッパ部がストッパ受け部に何の障害もなく当接（衝突）する構成では、当接（衝突）により生じる音や衝撃が大きくなる。
【０００９】
そこで、請求項３に記載のように、前記座回転体及び前記軸固定体の少なくとも一方には、前記ストッパ受け部が前記ストッパ部の移動を妨げる位置に、弾性材料（例えばゴム）による緩衝部が形成されているとよい。
【００１０】
このような構成の座体支持ユニットによれば、ストッパ部がストッパ受け部に当接することによって生じる音や衝撃を緩和することができる。
また、この構成では、座回転体に加える回転力に応じて緩衝部の変形度合いを変化させることが可能となる。このため、例えば、錘やバネによる力で座体を所定の回転位置まで回転移動させるように構成し、更に、人が力を付加することで座体をより回転移動させることが可能な構成とすることができる。
【００１１】
ここで、緩衝部は、例えば請求項４のように形成することができる。
すなわち、請求項４に記載の座体支持ユニットでは、請求項３に記載の座体支持ユニットにおいて、軸固定体は、弾性材料製の板が２枚の金属板によりサンドイッチ状に挟まれた構成を有し、金属板の端縁によりストッパ受け部が形成されているとともに、弾性材料製の板における端縁からはみ出した部分によって緩衝部が形成されている。
【００１２】
このような構成の座体支持ユニットによれば、ストッパ受け部がストッパ部の移動を妨げる位置にのみ弾性材料を貼り付ける等により緩衝部を形成する構成に比べ、組み立て作業を容易にすることができる。
【００１３】
さらに、請求項５に記載の座体支持ユニットは、請求項４に記載の座体支持ユニットにおいて、弾性材料製の板には、板厚の異なる肉厚部と肉薄部（肉厚部よりも板厚の薄い部分）とが形成されており、少なくとも弾性材料製の板における端縁からはみ出した部分は、肉薄部によって形成されている。
【００１４】
このような構成の座体支持ユニットでは、弾性材料製の板を挟む２枚の金属板の間隔が、弾性材料製の板における肉薄部の板厚よりも大きく形成される。このため、本座体支持ユニットによれば、弾性材料製の板における端縁からはみ出した部分（緩衝部）の変形が金属板によって妨げられてしまうことが防止され、高い緩衝効果を実現することができる。
【００１５】
請求項６に記載の座体支持ユニットは、請求項１から請求項５までのいずれか１項に記載の座体支持ユニットにおいて、軸固定体には、支軸を挿入するための軸孔が形成されており、軸固定体は、軸孔に支軸が挿入された状態でその支軸に対して取り付け可能に構成されている。
【００１６】
このように構成された座体支持ユニットによれば、軸固定体の支軸への取り付けを容易かつ強固に行うことができる。
特に、支軸の断面が多角形（正方形、長方形、三角形、五角形、六角形、八角形等）状に形成されている場合には、請求項７に記載の座体支持ユニットのように、軸孔を、その支軸の断面と同一形状に形成するとよい。このようにすれば、軸固定体に形成された軸孔に支軸を挿入するだけで、軸固定体を支軸に対して回転不能な状態とすることが可能となるため、軸固定体の支軸への取り付け作業を一層容易なものとすることができる。
【００１７】
請求項８に記載の座体支持ユニットは、請求項６又は請求項７に記載の座体支持ユニットにおいて、軸固定体における軸孔の内縁には、挿入された支軸と密着する弾性材料による密着部が形成されている。このように構成された座体支持ユニットは、支軸に取り付けられた状態での軸固定体のぐらつきを防止することができる。特に、請求項４に記載の軸固定体のように、弾性材料製の板を２枚の金属板によってサンドイッチ状に挟み込んだ構成では、弾性材料製の板の一部によって密着部を形成することが可能となり、部品点数を少なくすることができる。
【００１８】
請求項９に記載の座体支持ユニットは、請求項１から請求項８までのいずれか１項に記載の座体支持ユニットにおいて、軸固定体に対する座回転体の回転に、摩擦による負荷を与えるための摩擦部材を備えている。このような構成の座体支持ユニットによれば、重力の作用等で座体が勝手に回転移動してしまうことを防ぐことができる。
【００１９】
請求項１０に記載の座体支持ユニットは、請求項１から請求項９までのいずれか１項に記載の座体支持ユニットにおいて、座回転体は、軸固定体を収容するケース状に形成されている。
【００２０】
このような構成の座体支持ユニットによれば、美観を向上させることが可能となる。また、ストッパ部やストッパ受け部を収容することが可能となり、安全性を向上させることができる。
【００２１】
次に、請求項１１に記載の跳上げ椅子は、請求項１から請求項１０までのいずれか１項に記載の座体支持ユニットにより着座用の座体が支軸に取り付けられた跳上げ椅子であって、座体が、着座用の着座位置と、上方へ起立した収納位置との間で、回転移動可能に構成されている。
【００２２】
このような構成の跳上げ椅子は、座体支持ユニットの座回転体を座体に固定し、軸固定体を支軸に取り付けることにより、座体が支軸に対して一定の角度範囲（収納位置から着座位置までの範囲）で回転可能に取り付けられている。ここで、座体支持ユニットは、座体の幅に関係なく共通の構成とすることが可能であるため、跳上げ椅子の組み立て作業の効率化を図ることができる。
【００２３】
また、請求項１２に記載の跳上げ椅子は、請求項１１に記載の跳上げ椅子であって、座体を着座位置から収納位置へ自動的に回転移動させるための錘が設けられている。
このような構成の跳上げ椅子によれば、座体を着座位置から収納位置へ手動で回転移動させる構成の跳上げ椅子や、錘以外の手法（例えばバネ）により座体を着座位置から収納位置へ自動的に回転移動させる構成の跳上げ椅子との間で、座体支持ユニットの全部又は一部の構成を共通化することができる。
【００２４】
さらに、請求項１３に記載の跳上げ椅子は、請求項１１に記載の跳上げ椅子であって、座体を着座位置から収納位置へ自動的に回転移動させるためのバネが設けられている。
このような構成の跳上げ椅子によれば、座体を着座位置から収納位置へ手動で回転移動させる構成の跳上げ椅子や、錘以外の手法（例えば錘）により座体を着座位置から収納位置へ自動的に回転移動させる構成の跳上げ椅子との間で、座体支持ユニットの全部又は一部の構成を共通化することができる。
【発明を実施するための最良の形態】
【００２５】
以下、本発明が適用された実施形態について、図面を用いて説明する。
図１は、本実施形態の跳上げ椅子１００の外観図であり、（ａ）は上面図、（ｂ）は側面図である。また、図２は、跳上げ椅子１００の分解斜視図である。
【００２６】
これらの図に示すように、跳上げ椅子１００は、床面１０上に設けられた支持フレーム１１０と、支持フレーム１１０によって床面１０よりも高い位置で支持された着座用の座体１２０と、座体１２０の両側面に設けられ、座体１２０を支持フレーム１１０に対して一定の角度範囲で回転可能とする座体支持ユニット１３０とから構成されている。
【００２７】
支持フレーム１１０は、床面１０に立設された２つの支持脚１１１，１１１（図２では片方のみ図示）と、これら２つの支持脚１１１，１１１によって両端が支持されることにより水平に固定された断面が正方形の金属製角材からなる水平支軸１１２とを備えている。
【００２８】
各支持脚１１１は、床面１０に固定された金属製の土台１１３と、鉛直方向に立設された状態で土台１１３の上面に溶接固定された金属製の角パイプからなる支柱１１４と、支柱１１４とＴ字状をなすようにその上下方向略中央位置に水平に溶接固定された金属製の角パイプからなる支持アーム１１５と、支持アーム１１５の側面に溶接固定されたコの字状の金属板からなるブラケット１１６とから構成されている。ブラケット１１６は、水平支軸１１２の端部を載置することができるように上方を開口した状態で支持アーム１１５の側面に固定されており、別体の金属板である軸固定板１１７とともに水平支軸１１２を挟持する。具体的には、ブラケット１１６の底面には、２つのボルト１１８，１１８を挿入するための２つの貫通孔１１６ａ，１１６ａが形成されており、軸固定板１１７にも、ブラケット１１６の２つの貫通孔１１６ａ，１１６ａと対応する位置に２つの貫通孔１１７ａ，１１７ａが形成されている。そして、軸固定板１１７の各貫通孔１１７ａ及びブラケット１１６の各貫通孔１１６ａを貫通するように２本のボルト１１８，１１８が挿入され、バネ座金１１８ａ，１１８ａを介してナット１１９，１１９で締め付けられている。
【００２９】
一方、座体１２０は、人が着座するための着座面１２１ａが形成された中空樹脂製の座本体１２１と、座本体１２１の両側面に取り付けられた金属板からなる座体支持アーム１２２と、座本体１２１の内部に設けられる金属製の錘１２３とによって構成されている。
【００３０】
座本体１２１の両側面には、水平支軸１１２を貫通させる軸貫通孔１２１ｂと、座体支持ユニット１３０を取り付けるための２つの取付孔１２１ｃ，１２１ｃと、錘１２３を内部に挿入するための挿入口１２１ｄとが形成されている。
【００３１】
座体支持アーム１２２には、座本体１２１の各側面に形成されている軸貫通孔１２１ｂ、取付孔１２１ｃ，１２１ｃ、挿入口１２１ｄのそれぞれと対応する位置に、軸貫通孔１２２ｂと、取付孔１２２ｃ，１２２ｃと、ビス挿入口１２２ｄとが形成されている。
【００３２】
錘１２３は、円柱状のものであり、その軸方向両端面にはビスを螺合するための雌ネジが形成されたビス孔１２３ａが設けられている。そして、錘１２３は、座本体１２１の内部に挿入された状態で、座本体１２１の両側面において座体支持アーム１２２のビス挿入口１２２ｄを介してビス止め固定されている。ここで、錘１２３は、座体１２０における水平支軸１１２よりも奥側（背もたれ側）に配置され、重力により座体１２０の先端（前端）を上方へ付勢するように作用する。
【００３３】
一方、座体支持ユニット１３０は、図３に示すように、複数の部品から構成されており、水平支軸１１２に対して回転不能な状態で取り付けられる部分（以下「固定部」という。）と、座体に対して固定される部分であって固定部に対して回転する部分（以下「回転部」という。）とに大別される。
【００３４】
座体支持ユニット１３０の固定部は、ゴム板１３２と、ゴム板１３２を両側からサンドイッチ状に挟む２枚の金属板１３３，１３３と、ゴム板１３２及び２枚の金属板１３３，１３３を一体的に固定する２本のスプリングピン１３４，１３４と、ゴム板１３２、金属板１３３，１３３及びスプリングピン１３４，１３４が一体化された部品（以下「ストッパ受体」という。）１３５を更に両側から挟む２枚の軸受部材１３８，１３８とから構成されている。
【００３５】
ゴム板１３２は、図４に示すように、円板状の本体部１３２ａと、本体部１３２ａから突出する２つの扇形の突出部１３２ｂ，１３２ｂとからなる形状のものである。そして、本体部１３２ａにおける中央位置には、水平支軸１１２を貫通する貫通孔１３２ｃが形成されている。この貫通孔１３２ｃは、水平支軸１１２の断面形状と同じ正方形状に形成されており、水平支軸１１２が挿入された状態で水平支軸１１２の外面と密着する大きさに設計されている。また、各突出部１３２ｂには、スプリングピン１３４を挿入するための挿入孔１３２ｄがそれぞれ形成されている。
【００３６】
金属板１３３は、図３や図５に示すように、ゴム板１３２と同様、円板状の本体部１３３ａと、本体部１３３ａから突出する２つの扇形の突出部１３３ｂ，１３３ｂとからなる形状のものである。そして、ゴム板１３２と同様、本体部１３３ａにおける中央位置には、水平支軸１１２を貫通する正方形状の貫通孔１３３ｃが形成されており、各突出部１３３ｂには、スプリングピン１３４を挿入するための挿入孔１３３ｄがそれぞれ形成されている。具体的には、金属板１３３の形状は、ゴム板１３２の形状と比較すると、突出部１３３ｂが、ゴム板１３２の突出部１３２ｂに比べて円周方向の幅が狭い形状である点、及び、貫通孔１３３ｃが、ゴム板１３２の貫通孔１３２ｃに比べ一回り大きく形成されている点のみが異なっている。このため、ゴム板１３２を２枚の金属板１３３，１３３で挟みスプリングピン１３４，１３４を挿入して一体に固定してストッパ受体１３５を構成した状態では、金属板１３３の突出部１３３ｂにおける円周方向両側の端縁、及び、貫通孔１３３ｃの内縁から、ゴム板１３２がはみ出した状態となる。そして、図５に示すように、このはみ出し部分が、後述するストッパ１３１，１３１と金属板１３３の突出部１３３ｂ，１３３ｂとが衝突する際の衝撃を和らげる緩衝材として機能する。具体的には、ストッパ１３１，１３１が図５でいう時計回り方向に回転した場合に当接するはみ出し部分（以下「第１緩衝部」という。）１３２ｅ，１３２ｅよりも、ストッパ１３１，１３１が図５でいう反時計回り方向に回転した場合に当接するはみ出し部分（以下「第２緩衝部」という。）１３２ｆ，１３２ｆの方が大きく形成されている。また、図４に示すように、ゴム板１３２は、少なくとも各緩衝部１３２ｅ，１３２ｆとなる部分の肉厚（本実施形態では３ｍｍ）が、金属板１３３，１３３と接触する部分の肉厚（本実施形態では４ｍｍ）に比べて薄く形成されており、後述するストッパ１３１，１３１と当接することによる各緩衝部１３２ｅ，１３２ｆの弾性変形が金属板１３３，１３３によって阻害されてしまうことが防止される構成となっている。
【００３７】
また、図３に示すように、軸受部材１３８は、ゴム板１３２や金属板１３３の本体部１３２ａ，１３３ａと同じ大きさの円板状の本体部１３８ａと、本体部１３８ａの片面（金属板１３３と対向する面とは反対側の面）における中央部に形成され本体部１３８ａよりも一回り小さい円板状の凸部である回転支持部１３８ｂとからなる形状のものであり、樹脂により一体成型されている。また、軸受部材１３８における中央位置には、金属板１３３の貫通孔１３３ｃと同一形状の貫通孔１３８ｃが形成されている。
【００３８】
一方、座体支持ユニット１３０の回転部は、固定部を収容するための収容室を形成するケースキャップ１３９及びカバー板１４０と、ケースキャップ１３９及びカバー板１４０を座体１２０に固定するバネ座金１４１，１４１及び取付ボルト１３１ａ，１３１ａと、ケースキャップ１３９及びカバー板１４０により形成される収容室内において取付ボルト１３１ａ，１３１ａの表面を覆う円筒状の管体１３１ｂ，１３１ｂとから構成されている。
【００３９】
ケースキャップ１３９は、固定部を収容可能な大きさの円筒部１３９ａと、円筒部１３９ａの片側端部を覆う壁部１３９ｂとからなる形状の金属製容器（ケース）であり、壁部１３９ｂにおける中央位置には、軸受部材１３８の回転支持部１３８ｂと係合する回転軸孔１３９ｃが形成されており、回転軸孔１３９ｃの外側には、取付ボルト１３１ａ，１３１ａを挿入するための２つのボルト挿入孔１３９ｄ，１３９ｄが形成されている。
【００４０】
カバー板１４０は、ケースキャップ１３９の開放側端部を覆う円形の金属板であり、ケースキャップ１３９の壁部１３９ｂと同様、中央位置には、軸受部材１３８の回転支持部１３８ｂと係合する回転軸孔１４０ａが形成されている。また、回転軸孔１４０ａの外側には、ケースキャップ１３９のボルト挿入孔１３９ｄ，１３９ｄから挿入された取付ボルト１３１ａ，１３１ａと螺合する雌ネジが形成された２つの貫通ネジ孔１４０ｂ，１４０ｂが形成されている。ここで、ケースキャップ１３９のボルト挿入孔１３９ｄ及びカバー板１４０の貫通ネジ孔１４０ｂは、ゴム板１３２や金属板１３３の本体部１３２ａ，１３３ａにおける外周縁よりも外側であってこれらの突出部１３２ｂ，１３３ｂにおける外周縁よりも内側となる位置（後述するストッパ１３１が、本体部１３２ａ，１３３ａとは干渉しない位置であって突出部１３２ｂ，１３３ｂとは干渉するように配置される位置）に形成されている。
【００４１】
各取付ボルト１３１ａは、バネ座金１４１を介してケースキャップ１３９のボルト挿入孔１３９ｄから挿入され、カバー板１４０の貫通ネジ孔１４０ｂに螺合された状態において、その先端部がケースキャップ１３９から突出する長さのものであり、座体支持アーム１２２及び座本体１２１の各取付孔１２２ｃ，１２１ｃに先端部が挿入されてナット１４２で固定されることにより、座体支持ユニット１３０の回転部が座体１２０に固定される（図２参照）。
【００４２】
管体１３１ｂは、取付ボルト１３１ａを挿入可能であって、ケースキャップ１３９とカバー板１４０との接触を妨げない程度の長さに形成されている。
このような構成の座体支持ユニット１３０では、一方の軸受部材１３８の回転支持部１３８ｂが、ケースキャップ１３９の回転軸孔１３９ｃに挿入された状態となって軸受として機能するとともに、他方の軸受部材１３８の回転支持部１３８ｂが、カバー板１４０の回転軸孔１４０ａに挿入された状態となって軸受として機能する。この結果、座体支持ユニット１３０の回転部が固定部に対して回転可能となっている。ただし、図５に示すように、ケースキャップ１３９及びカバー板１４０により形成される収容室内において、取付ボルト１３１ａ，１３１ａ及び管体１３１ｂ，１３１ｂからなるストッパ１３１，１３１の回転移動を妨げる位置に、ゴム板１３２及び金属板１３３の各突出部１３２ｂ，１３３ｂが配置される。このため、固定部に対する回転部の移動が一定の角度範囲に制限される。
【００４３】
そして、本実施形態の跳上げ椅子１００は、座体支持ユニット１３０の固定部が水平支軸１１２に取り付けられ（具体的には、ゴム板１３２、金属板１３３，１３３、軸受部材１３８，１３８の各貫通孔１３２ｃ，１３３ｃ，１３３ｃ，１３８ｃ，１３８ｃに水平支軸１１２が挿入されることにより回転不能な状態で取り付けられ）、座体支持ユニット１３０の回転部が座体１２０に取り付けられることにより、座体１２０が支持フレーム１１０に対して一定の角度範囲で回転可能となっている。ここで、座体１２０には、錘１２３によってその先端を上方へ付勢する回転力が常時加えられている。このため、着座する際には、座本体１２１の着座面１２１ａが上面となる着座位置へ座体１２０を移動（傾倒）させた後に着座する(図５（ａ）参照)。この状態において、座体１２０には着座者の重さにより座体１２０の先端を下方向（図５でいう時計回り方向）へ回転させるように力が加わるが、座体支持ユニット１３０のストッパ１３１がゴム板１３２及び金属板１３３の各突出部１３２ｂ，１３３ｂと当接することによって下方向への回転移動が制限されるため、座体１２０が着座位置に維持される。また、ストッパ１３１は、金属板１３３と当接する前に、ゴム板１３２における金属板１３３からはみ出した部分（具体的には緩衝部１３２ｅ）と当接するため、座体１２０を着座位置へ移動させた際の音や衝撃が緩和される。
【００４４】
一方、着座者が降座すると、錘１２３による回転力により座体１２０の先端が上方（図５でいう時計回り方向）へ付勢されて座体１２０が回転し、ストッパ１３１がゴム板１３２における金属板１３３からはみ出した部分（具体的には緩衝部１３２ｆ）と当接して、錘１２３による回転力とゴム板１３２の弾性力とが平衡状態となる収納位置に維持される（図５（ｂ）参照）。そして、この状態では、ストッパ１３１が金属板１３３には当接していないため、人が座体１２０に力を付加することで、ストッパ１３１と当接する緩衝部１３２ｆの変形度合いを大きくして、ストッパ１３１が金属板１３３に当接する位置まで座体１２０を回転させることが可能となっている（図５（ｃ）参照）。特に、緩衝部１３２ｆは、緩衝部１３２ｅに比べて大きく形成されていることから、人が力を付加した際の変形度合いが緩衝部１３２ｅに比べて大きい。このため、座体１２０の収納位置を直立状態よりも着座位置側へやや傾いた状態に設定して傾倒操作を行いやすくしつつ、人が移動する場合には座体１２０を直立状態まで起立させて移動領域を確保するといったことが可能となる。
【００４５】
以上説明したように、本実施形態の跳上げ椅子１００は、座体支持ユニット１３０の回転部を座体１２０に固定し、座体支持ユニット１３０の固定部を水平支軸１１２に取り付けることにより、座体１２０を水平支軸１１２に対して一定の角度範囲で回転可能に取り付けることができる。そして、本座体支持ユニット１３０は、座体１２０の幅に関係なく共通の構成のものを用いることが可能であるため、跳上げ椅子１００の組み立て作業の効率化を図ることができる。
【００４６】
また、本座体支持ユニット１３０では、固定部に対する回転部の回転移動を一定の角度範囲に制限するためのストッパ１３１として取付ボルト１３１ａを利用しているため、ストッパ１３１を構成することによる部品点数の増加を抑えることができる。この結果、本座体支持ユニット１３０の組み立て作業の効率化を図ることができ、本跳上げ椅子１００の組み立て作業の効率化を図ることができる。
【００４７】
さらに、本座体支持ユニット１３０において、ストッパ受体１３５には緩衝部１３２ｅ，１３２ｆが形成されているため、ストッパ１３１が金属板１３３の突出部１３３ｂに当接することによって生じる音や衝撃を緩和することができる。特に、緩衝部１３２ｅ，１３２ｆは、２枚の金属板１３３に挟まれたゴム板１３２によって形成されているため、必要な部分にのみゴム部材を貼り付ける構成に比べ、組み立て作業を容易にすることができる。しかも、ゴム板１３２を挟む２枚の金属板１３３の間隔が、ゴム板１３２における緩衝部１３２ｅ，１３２ｆの板厚よりも大きく形成されるため、緩衝部１３２ｅ，１３２ｆの変形が金属板１３３によって妨げられてしまうことが防止され、高い緩衝効果を実現することができる。
【００４８】
さらに、本跳上げ椅子１００において、水平支軸１１２の断面が正方形状に形成されているため、ゴム板１３２、金属板１３３，１３３、軸受部材１３８，１３８の各貫通孔１３２ｃ，１３３ｃ，１３３ｃ，１３８ｃ，１３８ｃに水平支軸１１２を挿入するだけで、座体支持ユニット１３０の固定部を水平支軸１１２に対して回転不能な状態とすることが可能であり、座体支持ユニット１３０の水平支軸１１２への取り付け作業を容易かつ強固に行うことができる。特に、ストッパ受体１３５には、水平支軸１１２の外面と密着する密着部１３７（図５参照）が形成されているため、水平支軸１１２に取り付けられた状態でのストッパ受体１３５のぐらつきを防止することができる。
【００４９】
一方、本跳上げ椅子１００において、座体支持ユニット１３０の固定部は、ケースキャップ１３９及びカバー板１４０により形成される収容室内に収容されているため、美観を向上させることができるとともに、安全性を向上させることができる。
【００５０】
加えて、本実施形態の跳上げ椅子１００に用いられる座体支持ユニット１３０は、錘１２３とは全く独立した構成となっている。このため、座体１２０を着座位置から収納位置へ手動で回転移動させる構成の跳上げ椅子や、錘以外の手法（例えばバネ）により座体を着座位置から収納位置へ自動的に回転移動させる構成の跳上げ椅子との間で、座体支持ユニット１３０の全部又は一部の構成を共通化することができる。
【００５１】
なお、本実施形態の跳上げ椅子１００では、座体支持ユニット１３０の固定部（ゴム板１３２、金属板１３３，１３３、スプリングピン１３４，１３４及び軸受部材１３８，１３８）が、本発明の軸固定体に相当し、座体支持ユニット１３０の回転部（ケースキャップ１３９、カバー板１４０、バネ座金１４１、取付ボルト１３１ａ，１３１ａ及び管体１３１ｂ，１３１ｂ）が、本発明の座回転体に相当する。また、金属板１３３の突出部１３３ｂにおけるストッパ１３１と当接する端縁が、本発明のストッパ受け部に相当し、取付ボルト１３１ａが、本発明の螺合部材に相当し、ゴム板１３２、金属板１３３，１３３、軸受部材１３８，１３８の各貫通孔１３２ｃ，１３３ｃ，１３３ｃ，１３８ｃ，１３８ｃが、本発明の軸孔に相当する。
【００５２】
以上、本発明の一実施形態について説明したが、本発明は、種々の形態を採り得ることは言うまでもない。
例えば、上記実施形態の跳上げ椅子１００は、錘１２３によって座体１２０を着座位置から収納位置へ自動的に回転移動させるように構成されているが、座体１２０を自動的に回転移動させる構成としては他にも種々の構成が考えられる。その一例を図６に示す。同図に示す跳上げ椅子２００は、基本的には上記実施形態の跳上げ椅子１００と同一の構成であるが、座体１２０を自動的に回転移動させる構成として、錘１２３に代えてバネ２１０を備えている点が異なる。具体的には、バネ２１０は、内側に水平支軸１１２を挿入することが可能なように螺旋状に形成されたものであり、その一端が、水平支軸１１２に装着された状態で水平支軸１１２に固定される金属製の角パイプ状のバネ差し込み金具２３０によって水平支軸１１２に固定され、他端が、座体支持ユニット１３０の取付ボルト１３１ａに装着されることで座体２２０に固定されている。このような構成により、バネ２１０の変形に伴う復元力によって座体２２０が着座位置から収納位置へ自動的に回転移動する。また、この跳上げ椅子２００の構成によれば、座体支持ユニット１３０を上記実施形態の跳上げ椅子１００に用いられる座体支持ユニット１３０と共通化することができる。
【００５３】
一方、座体１２０を手動で回転移動させる構成も考えられる。その一例を図７に示す。同図に示す跳上げ椅子３００は、基本的には上記実施形態の跳上げ椅子１００と同一の構成であるが、座体１２０が錘１２３を備えていない点と、座体１２０の回転に摩擦による負荷を加える摩擦部材として弾性材料製のＯリング３３１（図８参照）を座体支持ユニット３３０が備えている点が異なる。すなわち、座体支持ユニット３３０において、軸受部材１３８とカバー板１４０との間にはゴム等の弾性材料製のＯリング３３１が設けられており、これにより座体１２０の回転に摩擦による負荷が加えられる。このため、人が座体１２０に対して力を加えることで座体１２０を着座位置から収納位置へ回転移動させることができ、重力の作用等で座体１２０が収納位置から着座位置へ勝手に回転移動してしまうことを防ぐことができる。
【図面の簡単な説明】
【００５４】
【図１】実施形態の跳上げ椅子の外観図である。
【図２】実施形態の跳上げ椅子の分解斜視図である。
【図３】実施形態の跳上げ椅子における座体支持ユニットの分解斜視図である。
【図４】ゴム板の外観図である。
【図５】実施形態の跳上げ椅子における座体の跳上げ動作についての説明図である。
【図６】錘に代えてバネを用いた構成の跳上げ椅子の分解斜視図である。
【図７】座体を手動で回転移動させる構成の跳上げ椅子の分解斜視図である。
【図８】図７の跳上げ椅子における座体支持ユニットの分解斜視図である。
【符号の説明】
【００５５】
１００，２００，３００…跳上げ椅子、１１０…支持フレーム、１１１…支持脚、１１２…水平支軸、１２０,３２０…座体、１２１…座本体、１２２…座体支持アーム、１２３…錘、１３０，３３０…座体支持ユニット、１３１…ストッパ、１３１ａ…取付ボルト、１３１ｂ…管体、１３２…ゴム板、１３２ｅ，１３２ｆ…緩衝部、１３３…金属板、１３４…スプリングピン、１３５…ストッパ受体、１３７…密着部、１３８…軸受部材、１３９…ケースキャップ、１４０…カバー板、１４０ａ…回転軸孔、２１０…バネ、２３０…バネ差し込み金具、３３１…Ｏリング
【図１】
2007105295.tif 000003
【図２】
2007105295.tif 000004
【図３】
2007105295.tif 000005
【図４】
2007105295.tif 000006
【図５】
2007105295.tif 000007
【図６】
2007105295.tif 000008
【図７】
2007105295.tif 000009
【図８】
2007105295.tif 000010